(57)【要約】    【課題】  材料費が比較的安価であり、かつ、構造が比較的単純であり、かつ、施工が比較的容易な門型ラーメンフレームを提供する    【解決手段】  門型ラーメンフレーム10は、２本の柱部材20と上弦部材30と下弦部材40とを備える。２本の柱部材20と上弦部材30と下弦部材40とによって囲まれる部分には、開口部60が形成される。開口部60の内周面のうち、各柱部材20の側面に相当する部分には、縦溝23を形成し、上弦部材30の下面に相当する部分には、上横溝31を形成し、下弦部材40の上面に相当する部分には、下横溝41を形成する。上横溝31内及び下横溝41内には、両柱部材20を互いに引き寄せる引き寄せ金物70を設ける。開口部60内には、両縦溝23内、上横溝31内及び下横溝41内にその外周縁を嵌め込んだ板部材80を設ける。    【選択図】  図１
2006328766.tif 000002
【特許請求の範囲】
【請求項１】
所定間隔をあけて立設されている２本の柱部材と、
両柱部材の間に設けられ、各柱部材の所定位置にその両端をそれぞれ接合されている上弦部材と、
両柱部材の間であって上弦部材よりも下方に設けられ、上弦部材との間に所定間隔をあけて配置され、各柱部材の所定位置にその両端をそれぞれ接合されている下弦部材とを備え、
両柱部材と上弦部材と下弦部材とによって囲まれる部分には、開口部が形成され、
開口部の内周面のうち、各柱部材の側面に相当する部分には、それぞれ、上弦部材との接合部から下弦部材との接合部まで至る縦溝が形成され、上弦部材の下面に相当する部分には、一方の柱部材との接合部から他方の柱部材との接合部まで至る上横溝が形成され、下弦部材の上面に相当する部分には、一方の柱部材との接合部から他方の柱部材との接合部まで至る下横溝が形成され、
上横溝内及び下横溝内には、それぞれ、一方の柱部材から他方の柱部材まで至り、両柱部材を互いに引き寄せる引き寄せ金物が設けられ、
開口部内には、両縦溝内、上横溝内、及び下横溝内にその外周縁を嵌め込まれている板部材が設けられていることを特徴とする門型ラーメンフレーム。
【請求項２】
板部材は、複数の釘で、両柱部材、上弦部材、及び下弦部材に接合されていることを特徴とする請求項１記載の門型ラーメンフレーム。
【請求項３】
引き寄せ金物は、両端付近にそれぞれ雄ネジが形成されている棒状鋼材と、棒状鋼材の両端付近の雄ネジにそれぞれ螺合される２つのナットとから構成されていることを特徴とする請求項１又は２記載の門型ラーメンフレーム。
【発明の詳細な説明】
【技術分野】
【０００１】
本発明は、門型ラーメンフレームに関し、特に、材料費が比較的安価であり、かつ、構造が比較的単純であり、かつ、施工が比較的容易な門型ラーメンフレームに関する。
【背景技術】
【０００２】
木造住宅等の建物には、当該建物に加わる水平方向の外力に対する耐力を負担させるために、耐力壁をバランスよく配置しなければならない。
しかし、敷地の形状や建築プランによっては、耐力壁をバランスよく配置することが困難になる。例えば、接道幅が狭く細長い敷地に、１階部分を自動車用の車庫とする住宅を建てようとすると、間口の全面を車庫の出入り口としなければならず、かかる場合に耐力壁をバランスよく配置することが困難になる。
そこで、かかる問題を解消するため、従来から、種々の門型ラーメンフレームが提案されている（特許文献１ないし６参照）。
【特許文献１】特開２００４−１１１６２号公報
【特許文献２】特開２００３−２３９４５６号公報
【特許文献３】特開２００３−２３９３８３号公報
【特許文献４】特開２００３−２３９３８２号公報
【特許文献５】特開２００３−１４７８５７号公報
【特許文献６】特開２００１−３０３６６３号公報
【発明の開示】
【発明が解決しようとする課題】
【０００３】
しかし、従来の門型ラーメンフレームは、材料費が高価であったり、構造が複雑であったり、施工が難しいという問題があった。
（請求項１）
そこで、請求項１記載の発明は、２本の柱部材の間に、上弦部材と下弦部材とを設け、両柱部材と上弦部材と下弦部材とによって囲まれる開口部の内周面に、全周にわたって周状溝を形成し、上弦部材の下面の上横溝内及び下弦部材の上面の下横溝内には、それぞれ、両柱部材を互いに引き寄せる引き寄せ金物を設け、開口部内には、その外周縁を全周にわたって周状溝内に嵌め込まれている板部材を設けることにより、材料費が比較的安価であり、かつ、構造が比較的単純であり、かつ、施工が比較的容易な門型ラーメンフレームを提供することを目的とする。
【０００４】
（請求項２）
また、請求項２記載の発明は、請求項１記載の発明の目的に加え、複数の釘で板部材を両柱部材、上弦部材、及び下弦部材に接合することにより、変形しにくさを一層高めて、強度を一層高くした門型ラーメンフレームを提供することを目的とする。
（請求項３）
また、請求項３記載の発明は、請求項１又は２記載の発明の目的に加え、両端付近にそれぞれ雄ネジが形成されている棒状鋼材と、棒状鋼材の両端付近の雄ネジにそれぞれ螺合される２つのナットとから、引き寄せ金物を構成することにより、比較的単純な部材から引き寄せ金物を構成するようにし、ひいては構造の単純さを一層高めた門型ラーメンフレームを提供することを目的とする。
【課題を解決するための手段】
【０００５】
（請求項１）
請求項１記載の発明は、門型ラーメンフレーム10に係るものであって、所定間隔をあけて立設されている２本の柱部材20と、両柱部材20（21,22）の間に設けられ、各柱部材20の所定位置にその両端をそれぞれ接合されている上弦部材30と、両柱部材20（21,22）の間であって上弦部材30よりも下方に設けられ、上弦部材30との間に所定間隔をあけて配置され、各柱部材20の所定位置にその両端をそれぞれ接合されている下弦部材40とを備え、両柱部材20（21,22）と上弦部材30と下弦部材40とによって囲まれる部分には、開口部60が形成され、開口部60の内周面のうち、各柱部材20の側面に相当する部分には、それぞれ、上弦部材30との接合部から下弦部材40との接合部まで至る縦溝23が形成され、上弦部材30の下面に相当する部分には、一方の柱部材20との接合部から他方の柱部材20との接合部まで至る上横溝31が形成され、下弦部材40の上面に相当する部分には、一方の柱部材20との接合部から他方の柱部材20との接合部まで至る下横溝41が形成され、上横溝31内及び下横溝41内には、それぞれ、一方の柱部材20から他方の柱部材20まで至り、両柱部材20（21,22）を互いに引き寄せる引き寄せ金物70が設けられ、開口部60内には、両縦溝23内、上横溝31内、及び下横溝41内にその外周縁を嵌め込まれている板部材80が設けられていることを特徴とする。
【０００６】
ここで、「柱部材20」は、鉛直方向に延びる部材である。また、柱部材20は、２本備えられる。また、２本の柱部材20は、所定間隔をあけて平行に立設される。
また、「上弦部材30」は、水平方向に延びる部材である。また、上弦部材30は、両柱部材20（21,22）の間に設けられる。また、上弦部材30は、各柱部材20に直交するようにして、各柱部材20の上端付近にその両端をそれぞれ接合される。例えば、一方の柱部材20を右柱部材21とし、他方の柱部材20を左柱部材22とすると、上弦部材30は、右柱部材21と左柱部材22との間に設けられる。また、上弦部材30の右端は、右柱部材21の上端付近に接合され、また、上弦部材30の左端は、左柱部材22の上端付近に接合される。具体的には、例えば、上弦部材30の左右両端に、それぞれ、ホゾ50を設ける。また、右柱部材21の上端付近における左側面、及び左柱部材22の上端付近における右側面に、それぞれ、上ホゾ穴25を設ける。そして、上弦部材30の各ホゾ50を左右の柱部材20（21,22）の各上ホゾ穴25にそれぞれ嵌合させる。そうすると、各柱部材20の上端付近に上弦部材30の両端をそれぞれ接合できる。
【０００７】
また、「下弦部材40」は、上弦部材30と同様に、水平方向に延びる部材である。また、下弦部材40は、両柱部材20（21,22）の間であって上弦部材30よりも下方に設けられる。また、下弦部材40は、上弦部材30との間に所定間隔をあけて配置され、更には、上弦部材30と平行に配置される。また、下弦部材40は、各柱部材20に直交するようにして、各柱部材20の上下の中間位置にその両端をそれぞれ接合される。例えば、一方の柱部材20と右柱部材21とし、他方の柱部材20を左柱部材22とすると、下弦部材40は、右柱部材21と左柱部材22との間であって上弦部材30よりも下方に設けられる。また、下弦部材40の右端は、右柱部材21の上下の中間位置に接合され、また、下弦部材40の左端は、左柱部材22の上下の中間位置に接合される。具体的には、例えば、下弦部材40の左右両端に、それぞれ、ホゾ50を設ける。また、右柱部材21の上下の中間位置における左側面、及び左柱部材22の上下の中間位置における右側面に、それぞれ、下ホゾ穴26を設ける。そして、下弦部材40の各ホゾ50を左右の柱部材20（21,22）の各下ホゾ穴26にそれぞれ嵌合させる。そうすると、各柱部材20の上下の中間位置に下弦部材40の両端をそれぞれ接合できる。
【０００８】
また、「開口部60」は、両柱部材20（21,22）と上弦部材30と下弦部材40とによって囲まれる部分に形成される四角形状の孔である。
また、「縦溝23」は、開口部60の内周面のうち、各柱部材20の側面に相当する部分に、上弦部材30との接合部から下弦部材40との接合部まで至るようにそれぞれ形成される溝である。
また、「上横溝31」は、開口部60の内周面のうち、上弦部材30の下面に相当する部分に、一方の柱部材20との接合部から他方の柱部材20との接合部まで至るように形成される溝である。
【０００９】
また、「下横溝41」は、開口部60の内周面のうち、下弦部材40の上面に相当する部分に、一方の柱部材20との接合部から他方の柱部材20との接合部まで至るように形成される溝である。
そして、両縦溝23、上横溝31、及び下横溝41により、開口部60の内周面の全周にわたる周状溝が構成される。
また、「引き寄せ金物70」は、一方の柱部材20から他方の柱部材20まで至り、両柱部材20（21,22）を互いに引き寄せるためのものである。また、引き寄せ金物70は、上横溝31内及び下横溝41内にそれぞれ設けられる。
【００１０】
また、引き寄せ金物70は、例えば、両端付近にそれぞれ雄ネジが形成されている棒状鋼材71と、棒状鋼材71の両端付近の雄ネジにそれぞれ螺合される２つのナット72とから構成できる。また、例えば、両柱部材20（21,22）における、上横溝31に対応する高さ位置に、柱部材20を左右方向に貫通する上貫通孔27をそれぞれ設けるとともに、両柱部材20（21,22）における、下横溝41に対応する高さ位置に、柱部材20を左右方向に貫通する下貫通孔28をそれぞれ設ける。また、棒状鋼材71の長さを、右柱部材21の右側面から左柱部材22の左側面までの距離よりも長くする。更に、上横溝31内に棒状鋼材71を収納し、この棒状鋼材71の両端付近を左右の柱部材20（21,22）の各上貫通孔27にそれぞれ通すとともに、下横溝41内に棒状鋼材71を収納し、この棒状鋼材71の両端付近を左右の柱部材20（21,22）の各下貫通孔28にそれぞれ通す。このとき、各棒状鋼材71の両端が両柱部材20（21,22）の外方に突出するようにする。そして、各棒状鋼材71の両端付近の雄ネジにそれぞれナット72を螺合させて、これらを締め付ける。そうすると、比較的簡単な構成で確実に、左右の柱部材20（21,22）を互いに引き寄せることができる。
【００１１】
また、「板部材80」は、両縦溝23内、上横溝31内、及び下横溝41内に、その外周縁を嵌め込まれた状態で、開口部60内に設けられるものである。換言すると、板部材80は、開口部60の内周面の全周にわたる周状溝内に、その外周縁を全周にわたって嵌め込まれた状態で、開口部60内に設けられるものである。つまり、板部材80の上側の縁は、上横溝31内に嵌め込まれ、また、板部材80の下側の縁は、下横溝41内に嵌め込まれ、また、板部材80の右側の縁は、右柱部材21の側面に設けた縦溝23内に嵌め込まれ、また、板部材80の左側の縁は、左柱部材22の側面に設けた縦溝23内に嵌め込まれる。
また、板部材80は、例えば、１枚の合板81から構成してもよく、また、２枚の合板81を重ね合わせて構成してもよく、また、２枚の合板81を継ぎ合わせて１枚の継ぎ板82とし、この継ぎ板82を２枚重ね合わせて構成してもよい。なお、継ぎ板82を２枚重ね合わせて板部材80を構成する場合にあっては、両継ぎ板82の継ぎ目の位置をずらすことが好ましい。
【００１２】
以上説明したように、本発明に係る門型ラーメンフレーム10では、２本の柱部材20の間に、上弦部材30と下弦部材40とを設け、両柱部材20（21,22）と上弦部材30と下弦部材40とによって囲まれる開口部60の内周面に、全周にわたって周状溝を形成し、上弦部材30の下面の上横溝31内及び下弦部材40の上面の下横溝41内には、それぞれ、両柱部材20（21,22）を互いに引き寄せる引き寄せ金物70を設け、開口部60内には、その外周縁が全周にわたって周状溝内に嵌め込まれている板部材80を設けている。このように、上横溝31内及び下横溝41内に、それぞれ、両柱部材20（21,22）を互いに引き寄せる引き寄せ金物70を設けていることから、門型ラーメンに水平方向の外力が加わっても、両柱部材20（21,22）と上弦部材30及び下弦部材40との接合部が離れにくい。また、開口部60内に、その外周縁が全周にわたって周状溝内に嵌め込まれている板部材80を設けていることから、門型ラーメンフレーム10に水平方向の外力が加わっても、開口部60が菱形になるような変形がしにくい。そして、両柱部材20（21,22）が引き寄せ金物70で互いに引き寄せられることによって、両柱部材20（21,22）と上弦部材30及び下弦部材40とが固定されることから、両柱部材20（21,22）と上弦部材30及び下弦部材40との固定に釘やビス等が不要である。したがって、本発明に係る門型ラーメンフレーム10は、材料費が比較的安価であり、かつ、構造が比較的単純であり、かつ、施工が比較的容易である。
【００１３】
（請求項２）
請求項２記載の発明は、請求項１記載の発明を限定したものであって、板部材80は、複数の釘で、両柱部材20（21,22）、上弦部材30、及び下弦部材40に接合されていることを特徴とする。
例えば、板部材80の外周縁を貫くようにして、両柱部材20（21,22）、上弦部材30、及び下弦部材40に複数の釘を打ち込む。そうすると、板部材80を、両柱部材20（21,22）、上弦部材30、及び下弦部材40に接合できる。
このように、複数の釘で板部材80を両柱部材20（21,22）、上弦部材30、及び下弦部材40に接合することにより、開口部60が菱形になるような変形が一層しにくくなる。したがって、本発明に係る門型ラーメンフレーム10は、強度が一層高い。
【００１４】
（請求項３）
請求項３記載の発明は、請求項１又は２記載の発明を限定したものであって、引き寄せ金物70は、両端付近にそれぞれ雄ネジが形成されている棒状鋼材71と、棒状鋼材71の両端付近の雄ネジにそれぞれ螺合される２つのナット72とから構成されていることを特徴とする。
このように、両端付近にそれぞれ雄ネジが形成されている棒状鋼材71と、棒状鋼材71の両端付近の雄ネジにそれぞれ螺合される２つのナット72とから、引き寄せ金物70を構成すると、比較的単純な部材から引き寄せ金物70が構成されることとなり、ひいては門型ラーメンフレーム10の構造の単純さを一層高めることができる。
【発明の効果】
【００１５】
（請求項１）
請求項１記載の発明によれば、２本の柱部材の間に、上弦部材と下弦部材とを設け、両柱部材と上弦部材と下弦部材とによって囲まれる開口部の内周面に、全周にわたって周状溝を形成し、上弦部材の下面の上横溝内及び下弦部材の上面の下横溝内には、それぞれ、両柱部材を互いに引き寄せる引き寄せ金物を設け、開口部内には、その外周縁を全周にわたって周状溝内に嵌め込んだ板部材を設けたことから、材料費が比較的安価であり、かつ、構造が比較的単純であり、かつ、施工が比較的容易な門型ラーメンフレームを提供できる。
【００１６】
（請求項２）
また、請求項２記載の発明によれば、複数の釘で板部材を両柱部材、上弦部材、及び下弦部材に接合したことから、変形しにくさが一層高められるので、強度が一層高い門型ラーメンフレームを提供できる。
（請求項３）
また、請求項３記載の発明によれば、両端付近にそれぞれ雄ネジが形成されている棒状鋼材と、棒状鋼材の両端付近の雄ネジにそれぞれ螺合される２つのナットとから、引き寄せ金物を構成したことから、比較的単純な部材から引き寄せ金物が構成されるので、構造の単純さが一層高い門型ラーメンフレームを提供できる。
【発明を実施するための最良の形態】
【００１７】
図１ないし図４は、本発明の実施の形態を示すものである。
図１は、本実施の形態に係る門型ラーメンフレーム10の正面図、図２は、本実施の形態に係る門型ラーメンフレーム10の分解斜視図、図３は、本実施の形態に係る門型ラーメンフレーム10の要部分解斜視図、図４は、本実施の形態に係る門型ラーメンフレーム10の基礎100への取り付けを示す分解斜視図である。
（門型ラーメンフレーム10）
図１に示すように、本実施の形態に係る門型ラーメンフレーム10は、地面に打設された基礎100の上に構築されている。
【００１８】
また、図１に示すように、本実施の形態に係る門型ラーメンフレーム10は、所定間隔をあけて立設されている２本の柱部材20と、両柱部材20（21,22）の間に設けられ、各柱部材20の所定位置にその両端をそれぞれ接合されている上弦部材30と、両柱部材20（21,22）の間であって上弦部材30よりも下方に設けられ、上弦部材30との間に所定間隔をあけて配置され、各柱部材20の所定位置にその両端をそれぞれ接合されている下弦部材40とを備えている。また、両柱部材20（21,22）と上弦部材30と下弦部材40とによって囲まれる部分には、開口部60が形成されている。また、開口部60の内周面のうち、各柱部材20の側面に相当する部分には、それぞれ、上弦部材30との接合部から下弦部材40との接合部まで至る縦溝23が形成され、また、上弦部材30の下面に相当する部分には、一方の柱部材20との接合部から他方の柱部材20との接合部まで至る上横溝31が形成され、また、下弦部材40の上面に相当する部分には、一方の柱部材20との接合部から他方の柱部材20との接合部まで至る下横溝41が形成されている。また、上横溝31内及び下横溝41内には、それぞれ、一方の柱部材20から他方の柱部材20まで至り、両柱部材20（21,22）を互いに引き寄せる引き寄せ金物70が設けられている。また、開口部60内には、両縦溝23内、上横溝31内、及び下横溝41内にその外周縁を嵌め込まれている板部材80が設けられている。
【００１９】
以下、本実施の形態に係る門型ラーメンフレーム10の各構成について詳しく説明する。
（柱部材20）
図１に示すように、柱部材20は、２本備えられている。また、２本の柱部材20は、所定間隔をあけて平行に立設されている。
ここで、正面から見て右側の柱部材20を右柱部材21とし、同左側の柱部材20を左柱部材22とする。
本実施の形態では、右柱部材21も左柱部材22も、いずれも、木造軸組建築で一般的に用いられる１２０ｍｍ×３６０ｍｍの柱用の集成材を用いて構成されている。
【００２０】
また、図１に示すように、右柱部材21も左柱部材22も、いずれも、基礎100の上面から鉛直上方へ向けて延びるように立設されている。また、図１に示すように、右柱部材21も左柱部材22も、いずれも、その下端を基礎100に固定されている。また、図４に示すように、基礎100の上面と左柱部材22の下端面との間には、板状のベースプレート120が挟み込まれている。つまり、左柱部材22は、ベースプレート120を介して、その下端を基礎100に固定されている。そして、図４に示すように、左柱部材22は、２つのアンカーボルト110及び２つのホールダウン金物130で、その下端を基礎100に固定されている。なお、図示しないが、基礎100の上面と右柱部材21の下面との間にも、板状のベースプレート120が挟み込まれている。そして、図示しないが、右柱部材21も、左柱部材22と同様に、２つのアンカーボルト110及び２つのホールダウン金物130で、その下端を基礎100に固定されている。
【００２１】
具体的には、図４に示すように、基礎100における左柱部材22を立設すべき位置には、２つのアンカーボルト110が所定間隔をあけて設けられている。また、図示しないが、各アンカーボルト110は、ほぼ「Ｊ」字形に形成されている。また、各アンカーボルト110の下側の曲がった部分は、図示しないが、基礎100に埋設され、また、各アンカーボルト110の上側の直線状の部分は、図４に示すように、基礎100の上面から鉛直上方へ向けて突出している。
また、ベースプレート120は、鋼板製とされており、図４に示すように、左柱部材22の下端面とほぼ等しい大きさに形成されている。また、ベースプレート120には、２つのボルト通し孔121が所定間隔をあけて設けられている。また、２つのボルト通し孔121の間隔は、２つのアンカーボルト110の間隔と等しい。そして、基礎100における左柱部材22を立設すべき位置にベースプレート120を載置すると、各アンカーボルト110の上側の直線状の部分が各ボルト通し孔121に挿通されるようになっている。
【００２２】
また、図４に示すように、各ホールダウン金物130は、ほぼ「Ｌ」字形に形成されており、柱部材20に固定される部分であって鉛直方向に延びる板状の柱固定部131と、基礎100に固定される部分であって柱固定部131の下端から水平方向へ向けて延びる板状の基礎固定部132とを有している。また、柱固定部131には、３つの柱固定用孔133が所定間隔をあけて縦一直線上に並べて設けられており、また、基礎固定部132には、基礎固定用孔134が設けられている。
また、図４に示すように、左柱部材22の下端付近における左右の両側面には、それぞれ、ホールダウン金物130が収納可能な切欠収納部24が設けられている。また、図示しないが、左柱部材22の下端付近であって、各切欠収納部24内にホールダウン金物130を収納した際に各柱固定用孔133に対応する高さ位置には、それぞれ、左柱部材22を左右方向に貫通する金物固定用孔が設けられている。
【００２３】
また、左柱部材22の左右の切欠収納部24内には、それぞれホールダウン金物130が収納されている。また、これらのホールダウン金物130は、各柱固定用孔133及び各金物固定用孔を通した３本のボルト140で、左柱部材22に固定されている。また、基礎100における左柱部材22を立設すべき位置には、ベースプレート120が敷かれ、その上にホールダウン金物130を固定した左柱部材22が立てられている。また、各アンカーボルト110の上側の直線状の部分は、ベースプレート120の各ボルト通し孔121、及び各ホールダウン金物130の各基礎固定用孔134にそれぞれ通されている。また、各アンカーボルト110の上端付近には、それぞれナット150が螺合されて、締め付けられている。これにより、各ホールダウン金物130がベースプレート120を介して基礎100に固定されており、ひいては左柱部材22の下端が基礎100に固定されている。また、右柱部材21の下端の基礎100への固定も同様にして行われている。
【００２４】
また、図１ないし図３に示すように、左柱部材22の上端付近における右側面には、上ホゾ穴25が設けられている。この上ホゾ穴25は、上弦部材30の左端に設けたホゾ50を嵌合させるためのものであって、上弦部材30に対応する高さ位置に設けられている。また、図１ないし図３に示すように、左柱部材22の上下の中間位置（下から約３／４の高さ位置）における右側面には、下ホゾ穴26が設けられている。この下ホゾ穴26は、下弦部材40の左端に設けたホゾ50を嵌合させるためのものであって、下弦部材40に対応する高さ位置に設けられている。
また、図１に示すように、左柱部材22の上端付近には、左柱部材22を左右方向に貫通する上貫通孔27が設けられている。この上貫通孔27は、引き寄せ金物70を構成する棒状鋼材71を通すためのものであって、上横溝31に対応する高さ位置に設けられている。また、上貫通孔27の右端は、上ホゾ穴25内に開口し、また、上貫通孔27の左端は、左柱部材22の上端付近における左側面に開口している。また、図１に示すように、左柱部材22の上下の中間位置には、左柱部材22を左右方向に貫通する下貫通孔28が設けられている。この下貫通孔28は、引き寄せ金物70を構成する棒状鋼材71を通すためのものであって、下横溝41に対応する高さ位置に設けられている。また、下貫通孔28の右端は、下ホゾ穴26内に開口し、また、下貫通孔28の左端は、左柱部材22の上下の中間位置における左側面に開口している。
【００２５】
また、図１ないし図３に示すように、左柱部材22の右側面における、上ホゾ穴25と下ホゾ穴26との間には、鉛直方向に延び、上ホゾ穴25から下ホゾ穴26まで至る、縦溝23が形成されている。この縦溝23は、板部材80の左側の縁が嵌め込まれるものであって、板部材80に対応する高さ位置に設けられている。また、両柱部材20（21,22）と上弦部材30と下弦部材40とを接合すると、両柱部材20（21,22）と上弦部材30と下弦部材40とによって囲まれる部分に、開口部60が形成されるが、この縦溝23は、開口部60の内周面のうち、左柱部材22の右側面に相当する部分に設けられるものであって、上弦部材30との接合部から下弦部材40との接合部まで至るように形成されるものである。
【００２６】
また、右柱部材21も、左柱部材22と同様に、上ホゾ穴25、下ホゾ穴26、上貫通孔27、下貫通孔28、及び縦溝23を有している。具体的には、図１に示すように、右柱部材21の上端付近における左側面には、上ホゾ穴25が設けられている。この上ホゾ穴25は、上弦部材30の右端に設けたホゾ50を嵌合させるためのものであって、上弦部材30に対応する高さ位置に設けられている。また、図１に示すように、右柱部材21の上下の中間位置（下から約３／４の高さ位置）における左側面には、下ホゾ穴26が設けられている。この下ホゾ穴26は、下弦部材40の右端に設けたホゾ50を嵌合させるためのものであって、下弦部材40に対応する高さ位置に設けられている。
【００２７】
また、図１に示すように、右柱部材21の上端付近には、右柱部材21を左右方向に貫通する上貫通孔27が設けられている。この上貫通孔27は、引き寄せ金物70を構成する棒状鋼材71を通すためのものであって、上横溝31に対応する高さ位置に設けられている。また、上貫通孔27の左端は、上ホゾ穴25内に開口し、また、上貫通孔27の右端は、右柱部材21の上端付近における右側面に開口している。また、図１に示すように、右柱部材21の上下の中間位置には、右柱部材21を左右方向に貫通する下貫通孔28が設けられている。この下貫通孔28は、引き寄せ金物70を構成する棒状鋼材71を通すためのものであって、下横溝41に対応する高さ位置に設けられている。また、下貫通孔28の左端は、下ホゾ穴26内に開口し、また、下貫通孔28の右端は、右柱部材21の上下の中間位置における右側面に開口している。
【００２８】
また、図１に示すように、右柱部材21の左側面における、上ホゾ穴25と下ホゾ穴26との間には、鉛直方向に延び、上ホゾ穴25から下ホゾ穴26まで至る、縦溝23が形成されている。この縦溝23は、板部材80の右側の縁が嵌め込まれるものであって、板部材80に対応する高さ位置に設けられている。また、両柱部材20（21,22）と上弦部材30と下弦部材40とを接合すると、両柱部材20（21,22）と上弦部材30と下弦部材40とによって囲まれる部分に、開口部60が形成されるが、この縦溝23は、開口部60の内周面のうち、右柱部材21の左側面に相当する部分に設けられるものであって、上弦部材30との接合部から下弦部材40との接合部まで至るように形成されるものである。
【００２９】
（上弦部材30）
本実施の形態では、上弦部材30は、木造軸組建築で一般的に用いられる１２０ｍｍ×１２０ｍｍの柱用の集成材を用いて構成されている。
また、図１に示すように、上弦部材30は、右柱部材21と左柱部材22との間に設けられている。また、上弦部材30は、右柱部材21の上端付近から水平左方向へ向けて延びて左柱部材22の上端付近まで至るように形成されている。また、上弦部材30の右端は、右柱部材21の上端付近に接合され、また、上弦部材30の左端は、左柱部材22の上端付近に接合されている。
【００３０】
また、図１ないし図３に示すように、上弦部材30の左右両端には、それぞれホゾ50が設けられている。そして、上弦部材30の右端のホゾ50は、右柱部材21の上ホゾ穴25に嵌合され、また、上弦部材30の左端のホゾ50は、左柱部材22の上ホゾ穴25に嵌合されている。このようにして、上弦部材30の両端が各柱部材20の上端付近にそれぞれ接合されている。
また、図１ないし図３に示すように、上弦部材30の下面には、その右端から左端まで至る、上横溝31が形成されている。この上横溝31は、引き寄せ金物70を構成する棒状鋼材71が収納されるとともに、板部材80の上側の縁が嵌め込まれるものである。また、両柱部材20（21,22）と上弦部材30と下弦部材40とを接合すると、両柱部材20（21,22）と上弦部材30と下弦部材40とによって囲まれる部分に、開口部60が形成されるが、この上横溝31は、開口部60の内周面のうち、上弦部材30の下面に相当する部分に設けられるものであって、右柱部材21との接合部から左柱部材22との接合部まで至るように形成されるものである。
【００３１】
（下弦部材40）
本実施の形態では、下弦部材40は、木造軸組建築で一般的に用いられる１２０ｍｍ×１２０ｍｍの柱用の集成材を用いて構成されている。
また、図１に示すように、下弦部材40は、右柱部材21と左柱部材22との間であって上弦部材30よりも下方に設けられている。また、下弦部材40は、上弦部材30との間に所定間隔をあけて配置され、更には、上弦部材30と平行に配置されている。また、下弦部材40は、右柱部材21における上下の中間位置（下から約３／４の高さ位置）から水平左方向へ向けて延びて左柱部材22における上下の中間位置（下から約３／４の高さ位置）まで至るように形成されている。また、下弦部材40の右端は、右柱部材21の上下の中間位置に接合され、また、下弦部材40の左端は、左柱部材22の上下の中間位置に接合されている。
【００３２】
また、図１ないし図３に示すように、下弦部材40の左右両端には、それぞれホゾ50が設けられている。そして、下弦部材40の右端のホゾ50は、右柱部材21の下ホゾ穴26に嵌合され、また、下弦部材40の左端のホゾ50は、左柱部材22の下ホゾ穴26に嵌合されている。このようにして、下弦部材40の両端が各柱部材20の上下の中間位置にそれぞれ接合されている。
また、図１ないし図３に示すように、下弦部材40の上面には、その右端から左端まで至る、下横溝41が形成されている。この下横溝41は、引き寄せ金物70を構成する棒状鋼材71が収納されるとともに、板部材80の下側の縁が嵌め込まれるものである。また、両柱部材20（21,22）と上弦部材30と下弦部材40とを接合すると、両柱部材20（21,22）と上弦部材30と下弦部材40とによって囲まれる部分に、開口部60が形成されるが、この下横溝41は、開口部60の内周面のうち、下弦部材40の上面に相当する部分に設けられるものであって、右柱部材21との接合部から左柱部材22との接合部まで至るように形成されるものである。
【００３３】
（開口部60・周状溝）
図１に示すように、右柱部材21と左柱部材22と上弦部材30と下弦部材40とに囲まれる部分には、四角形状の開口部60が形成される。
また、図１ないし図３に示すように、開口部60の内周面のうち、右柱部材21の左側面に相当する部分には、上弦部材30との接合部から下弦部材40との接合部まで至る縦溝23が形成され、また、開口部60の内周面のうち、左柱部材22の右側面に相当する部分にも、上弦部材30との接合部から下弦部材40との接合部まで至る縦溝23が形成され、また、開口部60の内周面のうち、上弦部材30の下面に相当する部分には、右柱部材21との接合部から左柱部材22との接合部まで至る上横溝31が形成され、また、開口部60の内周面のうち、下弦部材40の上面に相当する部分には、右柱部材21との接合部から左柱部材22との接合部まで至る下横溝41が形成されている。そして、両縦溝23、上横溝31、及び下横溝41により、開口部60の内周面の全周にわたる周状溝が構成される。また、本実施の形態では、縦溝23の幅も、上横溝31の幅も、下横溝41の幅も、いずれも、１８ｍｍとしてある。
【００３４】
（引き寄せ金物70）
引き寄せ金物70は、右柱部材21と左柱部材22とを互いに引き寄せるためのものであって、図１に示すように、右柱部材21から左柱部材22まで至るように形成されている。また、図１ないし図３に示すように、引き寄せ金物70は、２つ備えられており、上横溝31内及び下横溝41内にそれぞれ設けられている。
また、図１及び図２に示すように、本実施の形態では、各引き寄せ金物70は、両端付近にそれぞれ雄ネジが形成されている棒状鋼材71と、棒状鋼材71の両端付近の雄ネジにそれぞれ螺合される２つのナット72とから構成されている。また、本実施の形態では、各棒状鋼材71は、直径が１６ｍｍの丸鋼を用いて構成されており、その両端にダイスで雄ネジを形成したものである。また、本実施の形態では、各棒状鋼材71の長さは、右柱部材21の右側面から左柱部材22の左側面までの距離よりも長い。また、各ナット72は、四角板状の座金を用いて形成されており、座金の中心に設けた穴の内周面にタップで雌ネジを形成したものである。
【００３５】
また、図１に示すように、上側の棒状鋼材71は、上横溝31内に収納されている。また、上側の棒状鋼材71は、板部材80の上側の縁が嵌め込まれる前に、上横溝31内に収納される。つまり、上横溝31内には、先に上側の棒状鋼材71が収納され、その後に板部材80の上側の縁が嵌め込まれる。これにより、上側の棒状鋼材71は、上横溝31内においては、板部材80の上側の縁よりも上方に位置している。
また、図１に示すように、上側の棒状鋼材71の右端付近は、右柱部材21の上貫通孔27に通され、また、上側の棒状鋼材71の左端付近は、左柱部材22の上貫通孔27に通されている。また、図１に示すように、上側の棒状鋼材71の右端は、右柱部材21の右側面よりも右側に突出し、また、上側の棒状鋼材71の左端は、左柱部材22の左側面よりも左側に突出している。そして、上側の棒状鋼材71の両端の雄ネジにはそれぞれナット72が螺合されて、締め付けられている。これにより、右柱部材21と左柱部材22とが互いに引き寄せられている。
【００３６】
また、図１に示すように、下側の棒状鋼材71は、下横溝41内に収納されている。また、下側の棒状鋼材71は、板部材80の下側の縁が嵌め込まれる前に、下横溝41内に収納される。つまり、下横溝41内には、先に下側の棒状鋼材71が収納され、その後に板部材80の下側の縁が嵌め込まれる。これにより、下側の棒状鋼材71は、下横溝41内においては、板部材80の下側の縁よりも下方に位置している。
また、図１に示すように、下側の棒状鋼材71の右端付近は、右柱部材21の下貫通孔28に通され、また、下側の棒状鋼材71の左端付近は、左柱部材22の下貫通孔28に通されている。また、図１に示すように、下側の棒状鋼材71の右端は、右柱部材21の右側面よりも右側に突出し、また、下側の棒状鋼材71の左端は、左柱部材22の左側面よりも左側に突出している。そして、下側の棒状鋼材71の両端の雄ネジにはそれぞれナット72が螺合されて、締め付けられている。これにより、右柱部材21と左柱部材22とが互いに引き寄せられている。
【００３７】
（板部材80）
本実施の形態では、板部材80は、４枚の合板81を用いて構成されている。具体的には、本実施の形態では、図２に示すように、横幅が異なる２枚の合板81を継ぎ合わせて１枚の継ぎ板82とし、この継ぎ板82を２枚重ね合わせて、１つの板部材80としている。また、両継ぎ板82の継ぎ目の位置はずらしてある。また、本実施の形態では、板部材80を構成する各合板81は、いずれも、厚さが９ｍｍのものを用いている。
また、図１に示すように、板部材80は、その上側の縁を上横溝31内に嵌め込まれ、その下側の縁を下横溝41内に嵌め込まれ、その右側の縁を右柱部材21の左側面に設けた縦溝23内に嵌め込まれ、その左側の縁を左柱部材22の右側面に設けた縦溝23内に嵌め込まれた状態で、開口部60内に設けられている。つまり、板部材80は、その外周縁を全周にわたって周状溝内に嵌め込まれた状態で、開口部60内に設けられている。
【００３８】
（補強部材90）
図１及び図２に示すように、本実施の形態では、板部材80の表面に３本の補強部材90が設けられているとともに、板部材80の裏面にも３本の補強部材90が設けられている。これらの補強部材90は、いずれも、下弦部材40の上面から上弦部材30の下面まで至るように形成されている。また、板部材80の表面に設けた３本の補強部材90のうちの１本は、継ぎ板82の継ぎ目の位置に設けてあり、また、板部材80の裏面に設けた３本の補強部材90のうちの１本も、継ぎ板82の継ぎ目の位置に設けてある。また、これらの補強部材90は、いずれも、複数の釘で、板部材80に接合されている。また、本実施の形態では、各補強部材90は、５１ｍｍ×７５ｍｍの集成材を用いて構成されている。
【００３９】
（門型ラーメンフレーム10の施工方法）
まず、上横溝31内及び下横溝41内にそれぞれ棒状鋼材71を収納する。次に、板部材80の上側の縁を上横溝31内に嵌め込むとともに、板部材80の下側の縁を下横溝41内に嵌め込む。次に、上弦部材30の右端のホゾ50を右柱部材21の上ホゾ穴25に嵌合させ、上弦部材30の左端のホゾ50を左柱部材22の上ホゾ穴25に嵌合させるとともに、下弦部材40の右端のホゾ50を右柱部材21の下ホゾ穴26に嵌合させ、下弦部材40の左端のホゾ50を左柱部材22の下ホゾ穴26に嵌合させる。このとき、板部材80の右側の縁を右柱部材21の縦溝23内に嵌め込むとともに、板部材80の左側の縁を左柱部材22の縦溝23内に嵌め込む。またこのとき、上側の棒状鋼材71の右端付近を右柱部材21の上貫通孔27に通し、上側の棒状鋼材71の左端付近を左柱部材22の上貫通孔27に通すとともに、下側の棒状鋼材71の右端付近を右柱部材21の下貫通孔28に通し、下側の棒状鋼材71の左端付近を左柱部材22の下貫通孔28に通す。更にこのとき、上側の棒状鋼材71の右端を右柱部材21の右側面よりも右側に突出させ、上側の棒状鋼材71の左端を左柱部材22の左側面よりも左側に突出させるとともに、下側の棒状鋼材71の右端を右柱部材21の右側面よりも右側に突出させ、下側の棒状鋼材71の左端を左柱部材22の左側面よりも左側に突出させる。次に、上側の棒状鋼材71の左右両端の雄ネジにそれぞれナット72を螺合させて、これらを締め付けるとともに、下側の棒状鋼材71の左右両端の雄ネジにそれぞれナット72を螺合させて、これらを締め付ける。次に、板部材80の外周縁を貫くようにして、右柱部材21、左柱部材22、上弦部材30、及び下弦部材40に複数の釘を打ち込み、板部材80を、右柱部材21、左柱部材22、上弦部材30、及び下弦部材40に接合する。次に、板部材80の表面の所定位置に３本の補強部材90を位置させて、これらを複数の釘で板部材80に接合するとともに、板部材80の裏面の所定位置に３本の補強部材90を位置させて、これらを複数の釘で板部材80に接合する。次に、右柱部材21を基礎100上の所定位置に立てて、右柱部材21の下端を基礎100に固定するとともに、左柱部材22を基礎100上の所定位置に立てて、左柱部材22の下端を基礎100に固定する。具体的には、右柱部材21の左右の両切欠収納部24内にそれぞれホールダウン金物130を収納し、次に、３本のボルト140を各柱固定用孔133及び各金物固定用孔にそれぞれ通す。そして、この状態で、各ボルト140の先端にそれぞれナット150を螺合させて、これらを締め付ける。これにより、右柱部材21の下端付近の左右両側にそれぞれホールダウン金物130を固定する。次に、基礎100における右柱部材21を立設すべき位置に、先にベースプレート120を載置し、その後にホールダウン金物130を固定した右柱部材21を立てる。そうすると、各アンカーボルト110の上側の直線状の部分が、ベースプレート120の各ボルト通し孔121、及び各ホールダウン金物130の各基礎固定用孔134にそれぞれ挿通される。そして、この状態で、各アンカーボルト110の上端付近にそれぞれナット150を螺合させて、これらを締め付ける。これにより、ベースプレート120を介して、各ホールダウン金物130を基礎100に固定し、ひいては、右柱部材21の下端を基礎100に固定する。左柱部材22の下端の基礎100への固定も同様にして行う。
【００４０】
以上説明したように、本実施の形態に係る門型ラーメンフレーム10では、２本の柱部材20の間に、上弦部材30と下弦部材40とを設け、両柱部材20（21,22）と上弦部材30と下弦部材40とによって囲まれる開口部60の内周面に、全周にわたって周状溝を形成し、上弦部材30の下面の上横溝31内及び下弦部材40の上面の下横溝41内には、それぞれ、両柱部材20（21,22）を互いに引き寄せる引き寄せ金物70を設け、開口部60内には、その外周縁が全周にわたって周状溝内に嵌め込まれている板部材80を設けている。このように、上横溝31内及び下横溝41内に、それぞれ、両柱部材20（21,22）を互いに引き寄せる引き寄せ金物70を設けていることから、門型ラーメンに水平方向の外力が加わっても、両柱部材20（21,22）と上弦部材30及び下弦部材40との接合部が離れにくい。また、開口部60内に、その外周縁が全周にわたって周状溝内に嵌め込まれている板部材80を設けていることから、門型ラーメンフレーム10に水平方向の外力が加わっても、開口部60が菱形になるような変形がしにくい。そして、両柱部材20（21,22）が引き寄せ金物70で互いに引き寄せられることによって、両柱部材20（21,22）と上弦部材30及び下弦部材40とが固定されることから、両柱部材20（21,22）と上弦部材30及び下弦部材40との固定に釘やビス等が不要である。したがって、本実施の形態に係る門型ラーメンフレーム10は、材料費が比較的安価であり、かつ、構造が比較的単純であり、かつ、施工が比較的容易である。
【００４１】
また、本実施の形態に係る門型ラーメンフレーム10では、複数の釘で板部材80を両柱部材20（21,22）、上弦部材30、及び下弦部材40に接合している。このため、開口部60が菱形になるような変形が一層しにくい。したがって、本実施の形態に係る門型ラーメンフレーム10は、強度が一層高い。
また、本実施の形態に係る門型ラーメンフレーム10では、両端付近にそれぞれ雄ネジが形成されている棒状鋼材71と、棒状鋼材71の両端付近の雄ネジにそれぞれ螺合される２つのナット72とから、引き寄せ金物70を構成している。このため、引き寄せ金物70の構成が比較的単純である。したがって、本実施の形態に係る門型ラーメンフレーム10は、構造の単純さが一層高い。
【００４２】
なお、各上貫通孔27、及び各下貫通孔28は、棒状鋼材71の外形とほぼ等しい形状及び大きさに形成することが好ましい。また、各縦溝23、上横溝31、及び下横溝41の幅は、棒状鋼材71の直径、及び板部材80の厚さとほぼ等しくすることが好ましい。そうすると、棒状鋼材71が各上貫通孔27や各下貫通孔28や上横溝31や下横溝41にぴったりと嵌るとともに、板部材80が各縦溝23や上横溝31や下横溝41にぴったりと嵌ることから、棒状鋼材71と右柱部材21、左柱部材22、上弦部材30、及び下弦部材40との間にガタツキが生じないようにすることができ、かつ、板部材80と右柱部材21、左柱部材22、上弦部材30、及び下弦部材40との間にもガタツキが生じないようにすることができる。これにより、門型ラーメンフレーム10の強度を一層高めることができる。
【００４３】
また、右柱部材21の右側面における上貫通孔27の開口周囲、右柱部材21の右側面における下貫通孔28の開口周辺、左柱部材22の左側面における上貫通孔27の開口周辺、及び左柱部材22の左側面における下貫通孔28の開口周辺に、それぞれ、座掘を設けることができる。つまり、右柱部材21の上貫通孔27の右端、右柱部材21の下貫通孔28の右端、左柱部材22の上貫通孔27の左端、左柱部材22の下貫通孔28の左端を、座掘内に開口させる。また、各棒状鋼材71の左右両端をそれぞれ座掘内に位置させる。そして、各棒状鋼材71の左右両端に螺合させるナット72もそれぞれ座掘内に収める。この場合、ナット72は、四角板状の座金を用いて形成したものではなく、例えば、六角形状のものを用いることが好ましい。そうすると、引き寄せ金物70の左右両端が各柱部材20の外方に突出しないようにすることができる。
【図面の簡単な説明】
【００４４】
【図１】本発明の実施の形態に係る門型ラーメンフレームの正面図。
【図２】本発明の実施の形態に係る門型ラーメンフレームの分解斜視図。
【図３】本発明の実施の形態に係る門型ラーメンフレームの要部分解斜視図。
【図４】本発明の実施の形態に係る門型ラーメンフレームの基礎への固定を示す分解斜視図。
【符号の説明】
【００４５】
10  門型ラーメンフレーム               20  柱部材
21  右柱部材                           22  左柱部材
23  縦溝                              24  切欠収納部
25  上ホゾ穴                           26  下ホゾ穴
27  上貫通孔                           28  下貫通孔
30  上弦部材                           31  上横溝
40  下弦部材                           41  下横溝
50  ホゾ                               60  開口部
70  引き寄せ金物                       71  棒状鋼材
72  ナット                             80  板部材
81  合板                               82  継ぎ板
90  補強部材                          100  基礎
110  アンカーボルト                    120  ベースプレート
121  ボルト通し孔                      130  ホールダウン金物
131  柱固定部                          132  基礎固定部
133  柱固定用孔                        134  基礎固定用孔
140  ボルト                            150  ナット
【図１】
2006328766.tif 000003
【図２】
2006328766.tif 000004
【図３】
2006328766.tif 000005
【図４】
2006328766.tif 000006